(57)【特許請求の範囲】
【請求項１】
空気を取り入れる吸込口と、
空気を送出する吹出口と、
前記吸込口から前記吹出口に連通する送風経路と、
該送風経路内に設けられて空気を送出する送風ファンとを備え、室内の壁面に取り付けられて運転を行う空気調和機において、
前記吹出口の上部に回動可能に支持された第１の風向可変部と、
第１の風向可変部の下部に回動可能に支持された第２の風向可変部とを備え、
前記送風経路の上壁を延長するように第１の風向可変部と第２の風向可変部とを配置できることを特徴とする空気調和機。
【請求項２】
前記吹出口から略真下方向、後方下方又は前方下方へ空気を送出するときに、
前記送風経路の上壁を延長するように第１の風向可変部と第２の風向可変部とを配置することを特徴とする請求項１に記載の空気調和機。
【請求項３】
第１の風向可変部と第２の風向可変部とに面した空気の流通方向に沿って第１の風向可変部と第２の風向可変部との近傍の静圧分布の等圧線が形成されることを特徴とする請求項１又は２に記載の空気調和機。
【請求項４】
第１の風向可変部において、一端は前記送風経路の上壁に接触し、他端は第２の風向可変部に接触することを特徴とする請求項１〜３のいずれかに記載の空気調和機。
【請求項５】
前記送風ファンにより送出される空気を前方下方に案内する前方案内部を前記送風経路に設け、該前方案内部の上壁を延長するように第１の風向可変部と第２の風向可変部とを配置することを特徴とする請求項１〜４のいずれかに記載の空気調和機。
【請求項６】
前記吹出口の下壁を外側に延長した面を仮想面とし、
第２の風向可変部が前記仮想面と交差することを特徴とする請求項１〜５のいずれかに記載の空気調和機。
【請求項７】
第２の風向可変部の回動軸が第１の風向可変部の回動軸の下方に位置することを特徴とする請求項１〜６のいずれかに記載の空気調和機。
【請求項８】
前記吸込口を設けたフロントパネルを備え、
第１の風向可変部と第２の風向可変部とを前記フロントパネルに沿って配することを特徴とする請求項１〜７のいずれかに記載の空気調和機。
【請求項９】
前記送風経路の上壁を下方へ延長するように第１の風向可変部を配し、
下端が略真下方向又は後方下方へ向くように第２の風向可変部を配することを特徴とする請求項１〜８のいずれかに記載の空気調和機。
【請求項１０】
第２の風向可変部を前方に回動させて、
前記吹出口から送出される空気の方向を変化させることを特徴とする請求項１〜９のいずれかに記載の空気調和機。
【請求項１１】
第１の風向可変部の下端と第２の風向可変部の下端とを前方に回動させて、
前記吹出口から送出される空気を真下より前方の前方下方へ送出することを特徴とする請求項１〜１０のいずれかに記載の空気調和機。
【請求項１２】
前記吹出口の下部に回動可能に支持された第３の風向可変部を備え、
前記前方案内部の下壁を延長するように第３の風向可変部を配することを特徴とする請求項１〜１１のいずれかに記載の空気調和機。
【請求項１３】
第３の風向可変部の下端を前方に回動させて、
前記吹出口から送出される空気を真下より前方の前方下方へ送出することを特徴とする請求項１２に記載の空気調和機。
【請求項１４】
イオンを発生するイオン発生装置を備え、前記吹出口から空気とともにイオンを室内に送出することを特徴とする請求項１〜１３のいずれかに記載の空気調和機。
【請求項１５】
空気調和機の運転状況または室内の空気調和状況に基づいて空気の風向を略水平方向または前方上方と、略真下方向または後方下方とに可変することを特徴とする請求項１〜１４のいずれかに記載の空気調和機。
【請求項１６】
空気の運転状況または室内の空気調和状況に基づいて、空気の風向を更に略真下方向と前方下方、又は、略真下方向と前方下方に可変することを特徴とする請求項１５に記載の空気調和機。
【請求項１７】
居室が所定の大きさよりも狭いときに空気の風向を略水平方向または前方上方と、略真下方向または後方下方とに可変とし、居室が所定の大きさよりも広いときに空気の風向を略水平方向または前方上方と、前方下方とに可変することを特徴とする請求項１５又は１６に記載の空気調和機。
【請求項１８】
空気調和機の運転状況または室内の空気調和状況に基づいて、空気の風速又は空気の風量を変化させることを特徴とする請求項１５〜１７のいずれかに記載の空気調和機。
【請求項１９】
空気調和機の運転状況または室内の空気調和状況が第１の条件の場合に空気の風向を略水平方向または前方上方にし、空気調和機の運転状況または室内の空気調和状況が第２の条件の場合に空気の風向を略真下方向または後方下方にし、空気調和機の運転状況または室内の空気調和状況が第３の条件の場合に空気の風向を第２の条件の時よりも前方にしたことを特徴とする請求項１５〜１８のいずれかに記載の空気調和機。
【請求項２０】
第１の条件は吹出温度が所定値よりも低い場合から成り、第２の条件は吹出温度が該所定値よりも高く室温が上昇する立ち上がり状態の場合から成り、第３の条件は室温が安定した安定状態の場合から成ることを特徴とする請求項１９に記載の空気調和機。
【請求項２１】
室内のイオン濃度を検知するイオンセンサを備え、
風向を可変する室内の空気調和状況が前記イオンセンサにより検知されたイオン濃度から成ることを特徴とする請求項１５〜２０に記載の空気調和機。
【請求項２２】
風向を可変する空気調和機の運転状況が前記吹出口から送出される風量から成ることを特徴とする請求項１５〜２１のいずれかに記載の空気調和機。
【請求項２３】
室内の空気を前記吸込口から取り入れて前記吹出口から送出する送風機の回転数を検知する回転数検知部を設け、風向を可変する空気調和機の運転状況が前記回転数検知部の検出結果から成ることを特徴とする請求項１５〜２２のいずれかに記載の空気調和機。
【請求項２４】
取り入れた空気と熱交換して空気温度を調和する室内熱交換器の温度、前記吹出口から送出される空気の温度及び前記吸込口から取り入れられた空気の温度のうちのいずれかの温度を検出する温度センサを少なくとも一つ備え、風向を可変する空気調和機の運転状況が前記温度センサの検出結果から成ることを特徴とする請求項１５〜２３のいずれかに記載の空気調和機。
【請求項２５】
冷凍サイクルを運転する圧縮機の運転周波数を検出する周波数検出部を設け、風向を可変する空気調和機の運転状況が前記周波数検出部の検出結果から成ることを特徴とする請求項１５〜２４のいずれかに記載の空気調和機。
【請求項２６】
空気調和機の消費電力または消費電流を検出する消費電流検出部を設け、風向を可変する空気調和機の運転状況が前記消費電流検出部の検出結果から成ることを特徴とする請求項１５〜２５のいずれかに記載の空気調和機。
【請求項２７】
外気を取り入れて熱交換する室外機を設け、風向を可変する空気調和機の運転状況が前記室外機に取り入れられる空気の風量から成ることを特徴とする請求項１５〜２６のいずれかに記載の空気調和機。
【請求項２８】
前記室外機は外気を取り入れる室外送風機を有するとともに前記室外送風機の回転数を検出する室外回転数検出部を設け、風向を可変する空気調和機の運転状況が前記室外回転数検出部の検出結果から成ることを特徴とする請求項１５〜２７のいずれかに記載の空気調和機。
【請求項２９】
風向を可変する室内の空気調和状況が前記温度センサの検出結果と設定温度との差から成ることを特徴とする請求項１５〜２８のいずれかに記載の空気調和機。
【請求項３０】
風向を可変する室内の空気調和状況が暖房運転開始後の時間又は居室の大きさから成ることを特徴とする請求項１５〜２９のいずれかに記載の空気調和機。
【請求項３１】
室内の湿度を検知する湿度センサを備え、風向を可変する室内の空気調和状況が前記湿度センサの検出結果から成ることを特徴とする請求項１５〜３０のいずれかに記載の空気調和機。
【請求項３２】
室内の空気の浄化度を検出する浄化度検出手段を備え、風向を可変する室内の空気調和状況が前記浄化度検出手段の検出結果から成ることを特徴とする請求項１５〜３１のいずれかに記載の空気調和機。
【請求項３３】
前記浄化度検知手段は、室内の空気に含まれる臭気成分を検知する臭いセンサ、または室内の空気に含まれる塵埃の量を検知するほこりセンサから成ることを特徴とする請求項３２に記載の空気調和機。
【請求項３４】
後方下方または略真下方向への空気の送出を禁止する禁止手段を設けたことを特徴とする請求項１５〜３３のいずれかに記載の空気調和機。
【発明の詳細な説明】
【技術分野】
【０００１】
本発明は、筐体内に取り込まれた空気を調和して室内に送出する空気調和機に関する。
【背景技術】
【０００２】
従来の空気調和機は特願２００２−２６６４３７号等に示される。図２８はこの空気調和機による暖房運転時の室内の気流の挙動を示している。空気調和機の室内機１は側壁Ｗ１の上部に取付けられている。室内機１の下部には調和空気を送出する吹出口（不図示）が設けられる。
【０００３】
暖房運転の開始直後の室温が速やかに上昇する立ち上がり状態では、速やかに室内の空気を循環させる必要があるため、吹出口（不図示）から矢印Ｂに示すように例えば風速「強」（約５〜６ｍ／ｓｅｃ）で略真下方向に勢いよく送出される。そして、図中、矢印に示すように居室Ｒ内を流通して室内機１の上部または前部に設けられた吸込口４に戻る。
【０００４】
吸込口４から吸引された空気の温度と設定温度との温度差が小さくなったことを検知すると、徐々に送風量が低下して例えば風速「弱」（約３〜４ｍ／ｓｅｃ）で調和空気が送出される。図２９はこの室温が設定温度に対して所定温度以内で安定した安定状態の室内の気流の挙動を示している。吹出口から矢印Ｂ'に示すように略真下方向に風速「弱」で送出される調和空気は居室Ｒ内を流通して吸込口４に戻る。居室Ｒ内の温度が設定温度よりも低くなると再度風速が増加される。これにより、室内温度を設定温度に維持するようになっている。
【０００５】
また、特許文献１には、風向板の向きを可変して吹出口から略真下方向に向けて調和空気を送出できる空気調和機が開示されている。
【特許文献１】特許第３３１１９３２号
【発明の開示】
【発明が解決しようとする課題】
【０００６】
図３０、図３１はそれぞれ立ち上がり状態で風速「強」（図２８）、安定状態で風速「弱」（図２９）で暖房運転した時の室内の温度分布を示している。室内温度の設定温度は２８℃、居室Ｒの大きさは６畳（高さ２４００ｍｍ、横３６００ｍｍ、奥行き２４００ｍｍ）である。計測ポイントは図２８、図２９に一点鎖線Ｄで示した部屋Ｒの中央断面を６００ｍｍ間隔で高さ方向と横方向にそれぞれ６点、８点の合計４８点計測している。
【０００７】
風速「強」の場合は、図２８に示すように室内機１から真下方向乃至前方下方に送出された暖気は比重が小さく強い浮力を受けるため、床面に達する前に風向が前方に大きく曲げられる。これにより、居住空間に暖気が直接降り注ぐ。このため、暖気が使用者の頭部に継続的に降り注ぐ場合には、使用者に不快感を与える問題があった。
【０００８】
風速「弱」の場合は、図２９に示すように室内機１から真下方向に送出された調和空気は風速が弱い上に比重が小さくて強い浮力を受けるため、矢印Ｂ'に示すように上昇する。これにより、図３１に示すように居室Ｒの上部のみが温められて床面近傍は温められない。即ち、足元が寒く、頭部に暖気が直接当たって使用者に著しく不快感を与える問題があった。
【０００９】
また、図２８、図２９によると、室内機１から送出された調和空気の一部は矢印Ｂ"に示すように上昇し、居室Ｒ内を循環せずに直ちに室内機１に取込まれる所謂ショートサーキットが生じる。このため、図３０、図３１に示すように室内機１の周囲の空気が過加熱され、吸込口４近傍の温度が設定温度２８℃に対して３℃以上高い所謂暖気溜りＥが生じる。これにより、空気調和効率が低下する問題もあった。
【００１０】
更に、風速「強」（図２８）で暖房運転が行なわれている時にショートサーキットにより暖気溜りＥが生ずると、吸込口４より取り込んだ空気の温度が高いため設定温度に近づいたと検知される。このため、居室Ｒ全体が充分に暖められる前に風速「弱」に切り替えられる。ところが、暖気溜りＥによって室内機１の周囲の温度が高いため風速「強」に切り替えられず、足元が寒く、頭部には暖気が直接当たるという不快感を使用者に継続的に与える。
【００１１】
本発明は、快適性の向上及び空気調和効率の向上を図ることのできる空気調和機及び空気調和方法を提供することを目的とする。
【課題を解決するための手段】
【００１２】
上記目的を達成するために本発の空気調和機は、空気を取り入れる吸込口と、空気を送出する吹出口と、前記吸込口から前記吹出口に連通する送風経路と、該送風経路内に設けられ、空気を送出する送風ファンとを備え、室内の壁面に取り付けられて運転を行う空気調和機において、前記吹出口の上部に回動可能に支持された第１の風向可変部と、第１の風向可変部の下部に回動可能に支持された第２の風向可変部とを備え、前記送風経路の上壁を延長するように第１の風向可変部と第２の風向可変部とを配置できることを特徴とする。
【００１３】
上記構成の空気調和機において、前記吹出口から略真下方向、後方下方又は前方下方へ空気を送出するときに、前記送風経路の上壁を延長するように第１の風向可変部と第２の風向可変部とを配置する構成とするとよい。
【００１４】
また、上記構成の空気調和機において、第１の風向可変部と第２の風向可変部とに面した空気の流通方向に沿って第１の風向可変部と第２の風向可変部との近傍の静圧分布の等圧線が形成される構成とするとよい。
また、上記構成の空気調和機において、第１の風向可変部において、一端は前記送風経路の上壁に接触し、他端は第２の風向可変部に接触する構成とするとよい。
【００１５】
また、上記構成の空気調和機において、前記送風ファンにより送出される空気を前方下方に案内する前方案内部を前記送風経路に設け、該前方案内部の上壁を延長するように第１の風向可変部と第２の風向可変部とを配置する構成とするとよい。
また、上記構成の空気調和機に置いて、前記吹出口の下壁を外側に延長した面を仮想面とし、第２の風向可変部が前記仮想面と交差する構成とするとよい。
また、上記構成の空気調和機において、第２の風向可変部の回動軸が第１の風向可変部の回動軸の下方に位置する構成とするとよい。
また、上記構成の空気調和機において、前記吸込口を設けたフロントパネルを備え、第１の風向可変部と第２の風向可変部とを前記フロントパネルに沿って配する構成とするとよい。
また、上記構成の空気調和機において、前記送風経路の上壁を下方へ延長するように第１の風向可変部を配し、下端が略真下方向又は後方下方へ向くように第２の風向可変部を配する構成とするとよい。
また、上記構成の空気調和機において、空気調和機の運転状況または室内の空気調和状況に基づいて、第２の風向可変部を前方に回動させて、前記吹出口から送出される空気の方向を変化させる構成とするとよい。
また、上記構成の空気調和機において、第１の風向可変部の下端と第２の風向可変部の下端とを前方に回動させて、前記吹出口から送出される空気を真下より前方の前方下方へ送出する構成とするとよい。
【００１６】
また、上記構成の空気調和機において、前記吹出口の下部に回動可能に支持された第３の風向可変部を備え、前記前方案内部の下壁を延長するように第３の風向可変部を配する構成とするとよい。
また、上記構成の空気調和機において、第３の風向可変部の下端を前方に回動させて、前記吹出口から送出される空気を真下より前方の前方下方へ送出する構成とするとよい。
【００１７】
また、上記構成の空気調和機において、居室が所定の大きさよりも狭いときに空気の風向を略水平方向または前方上方と、略真下方向または後方下方とに可変するとともに、居室が所定の大きさよりも広いときに空気の風向を略水平方向または前方上方と、前方下方とに可変することを特徴としている。
この構成によると、居室が小さい場合には、吹出口から例えば前方上方に調和空気が送出される。空気調和機の運転状況または室内の空気調和状況が変化すると、吹出口から例えば後方下方に調和空気が送出される。居室が大きい場合には、吹出口から例えば前方上方に調和空気が送出される。空気調和機の運転状況または室内の空気調和状況が変化すると、吹出口から前方下方に調和空気が送出される。
【００１８】
また、上記構成の空気調和機において、空気調和機の運転状況または室内の空気調和状況に基づいて空気の風速を可変したことを特徴としている。この構成によると、吹出口から例えば前方上方に空気を送出する。空気調和機の運転状況または室内の空気調和状況が変化すると、吹出口から例えば後方下方に空気を送出する。更に空気調和機の運転状況または室内の空気調和状況が変化すると、吹出口から例えば風速を上げて後方下方に空気を送出する。
また、上記構成の空気調和機において、空気調和機の運転状況または室内の空気調和状況に基づいて空気の風量を可変したことを特徴としている。この構成によると、吹出口から例えば前方上方に調和空気を送出する。空気調和機の運転状況または室内の空気調和状況が変化すると、吹出口から例えば後方下方に空気を送出する。更に空気調和機の運転状況または室内の空気調和状況が変化すると、吹出口から例えば風量を下げて後方下方に空気を送出する。
【００１９】
また、上記構成の空気調和機において、空気調和機の運転状況または室内の空気調和状況が第１の条件の場合に空気の風向を略水平方向または前方上方にし、空気調和機の運転状況または室内の空気調和状況が第２の条件の場合に空気の風向を略真下方向または後方下方にし、空気調和機の運転状況または室内の空気調和状況が第３の条件の場合に空気の風向を第２の条件の時よりも前方にしたことを特徴としている。
第１の条件は吹出温度が所定値よりも低い場合から成り、第２の条件は吹出温度が該所定値よりも高く室温が上昇する立ち上がり状態の場合から成り、第３の条件は室温が安定した安定状態の場合から成ることを特徴としている。
この構成によると、吹出温度が低いと空気は略水平方向または前方上方に送出される。吹出温度が例えば直接当たっても寒さを感じない所定温度に到達して室温が速やかに上昇する立ち上がり状態になると空気は略真下方向または後方下方に送出される。室温が設定温度に対して所定温度以内で安定した安定状態になるとすると空気は例えばやや前方の下方に向けて送出される。
また、上記構成の空気調和機において、イオンを発生するイオン発生装置を備え、前記吹出口から調和空気とともにイオンを室内に送出する構成とするとよい。
また、上記構成の空気調和機において、室内のイオン濃度を検知するイオンセンサを備え、風向を可変する室内の空気調和状況が前記イオンセンサにより検知されたイオン濃度から成る構成とするとよい。
【００２０】
風向を可変する空気調和機の運転状況として、空気調和機から送出される空気の温度、室内機に配される室内熱交換器の温度、空気調和機から送出される空気の風量、冷凍サイクルと運転する圧縮機の運転周波数、空気調和機の消費電流や消費電力、室外機に取り込まれる空気の風量等が含まれる。また、風向を可変する室内の空気調和状況として、室内の温度、室内の湿度、居室の大きさ、臭気成分や塵埃量に基づく室内の空気の浄化度、室内のイオン濃度等が含まれる。
【００２１】
また本発明は、上記構成の空気調和機において、第１の条件は吹出温度が所定値よりも低い場合から成り、第２の条件は吹出温度が該所定値よりも高く室温が上昇する立ち上がり状態の場合から成り、第３の条件は室温が安定した安定状態の場合から成ることを特徴としている。
【００２２】
また、本発明の空気調和機は、空気調和機の運転状況または室内の空気調和状況に基づいて空気の風向を略水平方向または前方上方と、略真下方向または後方下方とに可変する空気調和機において、空気の風向を略真下方向と後方下方、又は、略真下方向と前方下方に可変する構成とするとよい。
【００２３】
また、上記構成の空気調和機において、後方下方または略真下方向への空気の送出を禁止する禁止手段を設けた構成とするとよい。
【発明の効果】
【００２４】
本発明によると、空気調和機の運転状況または室内の空気調和状況に基づいて調和空気の風向を可変するので、使用者に暖かい風が当たりつづけることがなく、使用者の不快感防止による快適性の向上を図ることができる。また、室温が上昇する立ち上がり状態で高温の空気を吹出口から後方下方に向けて送出して迅速に空気調和を行うとともに、室温が安定した安定状態で風向、風速、風量を変更して容易に快適性を向上することができる。
【００２５】
また本発明によると、吹出口から送出される空気の温度、室内熱交換器の温度、圧縮機の運転周波数、空気調和機の消費電流または消費電力、或いは室外機吸込口から吸引される空気の風量等の空気調和機の運転状況に基づいて風向を可変するので、例えば、吹出温度の高い調和空気をより後方へ送出して使用者に当たる高温の空気を減少させることができる。従って、使用者の不快感をより低減することができる。
【００２６】
また本発明によると、吹出口から送出される風量に基づいて風向を可変するので、例えば、風量が多いときには後方下方に送出して使用者への不快感を防止しつつ効率良く暖房することができる。また、風量が少ないときにはより前方に調和空気を送出して到達距離が短くなることを防止し、室内の隅々まで暖房することができる。
【００２７】
また本発明によると、室内の温度、室内の湿度、室内のイオン濃度、室内の浄化度等の室内の空気調和状況に基づいて風向、風速、風量を可変するので、例えば、室内の調和度と使用者により設定された調和度との間の差が大きいときにはより後方に調和空気を送出して部屋全体の空気を大きく攪拌し、室内の隅々まで速やかに空気の調和度を高めることができる。これにより、室内全体の空気を短時間で調和することができる。一方、室内の調和度と使用者により設定された調和度との間の差が小さいときには真下方向に送出して不要な後方への送出を減少させて効率良く空気調和を行うことができる。
【００２８】
また本発明によると、後方下方または略真下方向への空気の送出を禁止する禁止手段を設けているので、室内機の下方に壁や障害物があった場合に下方に送出される空気が跳ね返って吸込口から取込まれることによるショートサーキットの増加を防止することができ、使用状況に応じた風向制御を行うことができる。
【００２９】
また本発明によると、室温が速やかに上昇する立ち上がり状態で調和空気の風向を略真下方向または後方下方にし、安定状態で調和空気の風向を立ち上がり状態よりも前方にしたので、風量が少ない安定状態で調和空気を遠くまで到達させることができる。
【００３０】
また本発明によると、吹出温度が所定値よりも低い場合に調和空気の風向を略水平方向または前方上方にしたので、温度の低い空気が直接使用者に当たらず寒さを感じさせない空気調和機を得ることができる。
【発明を実施するための最良の形態】
【００３１】
以下に本発明の実施形態について図面を参照して説明する。説明の便宜上、以下の各実施形態において前述の図２８、図２９に示す従来例と同一の部分については同一の符号を付している。
【００３２】
＜第１実施形態＞
図１は第１実施形態の空気調和機を示す側面断面図である（後述する図８のＤ断面を示している）。空気調和機の室内機１は、キャビネット２により本体部が保持されており、キャビネット２には上面側と前面側に吸込口４が設けられたフロントパネル３が着脱自在に取り付けられている。
【００３３】
キャビネット２は後方側面に爪部（不図示）が設けられ、居室の側壁Ｗ１に取り付けられた取付板（不図示）に該爪部を係合することにより支持される。フロントパネル３の下端部とキャビネット２の下端部との間隙には、吹出口５が設けられている。吹出口５は室内機１の幅方向に延びる略矩形に形成され、前方下方に臨んで設けられている。
【００３４】
室内機１の内部には、吸込口４から吹出口５に連通する送風経路６が形成されている。送風経路６内には空気を送出する送風ファン７が配されている。送風ファン７として、例えば、クロスフローファン等を用いることができる。送風経路６は送風ファン７により送出される空気を前方下方に案内する前方案内部６ａを有している。前方案内部６ａには左右方向の吹出角度を変更可能な縦ルーバ１２が設けられている。また、送風経路６の上壁は前方案内部６ａの終端から前方へ行くほど上方に傾斜した傾斜面になっている。
【００３５】
吹出口５には回動可能に支持される風向可変部１１３ａ、１１３ｂ、１１３ｃが設けられる。風向可変部１１３ｃは前方案内部６ａの下壁を延長し、駆動モータ（不図示）の駆動によって回転する回動軸１１３ｆによりキャビネット２に枢支されている。風向可変部１１３ａは吹出口５の上部に配されるとともに駆動モータ（不図示）によって回転する回動軸１１３ｄにより回動可能に支持されている。
【００３６】
風向可変部１１３ｂは吹出口５の下部に配されるとともに駆動モータ（不図示）によって回転する回動軸１１３ｅにより回動可能に支持されている。風向可変部１１３ａ、１１３ｂは各駆動モータの駆動によって独立に回動し、向きを替えて風向を可変する。
【００３７】
また、風向可変部１１３ｂ、１１３ｃは断面形状が湾曲しており、一面が凸状の曲面に形成されるとともに他面が凹状の曲面に形成される。風向可変部１１３ａは一面（図中、左側）が略平面になっており他面（図中、右側）が緩やかな凸状の曲面に形成され、略中央部付近を回転軸１１３ｄで軸支されている。尚、同図の状態は詳細を後述するように吹出口５から後方下方に向けて調和空気を送出する場合を示している。
【００３８】
フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。室内熱交換器９は屋外に配される圧縮機６２（図２参照）に接続されており、圧縮機６２の駆動により冷凍サイクルが運転される。
【００３９】
冷凍サイクルの運転によって冷房時には室内熱交換器９が周囲温度よりも低温に冷却される。また、暖房時には、室内熱交換器９が周囲温度よりも高温に加熱される。尚、室内熱交換器９とエアフィルタ８との間には吸い込まれた空気の温度を検知する温度センサ６１が設けられ、室内機１の側部には空気調和機の駆動を制御する制御部６０（図３参照）が設けられている。室内熱交換機９の前後の下部には冷房または除湿時に室内熱交換器９から落下した結露を補集するドレンパン１０が設けられている。
【００４０】
前方のドレンパン１０には、イオン発生装置３０が放電面３０ａを送風経路６に面して設置されている。イオン発生装置３０の放電面３０ａから発生したイオンは送風経路６内に放出され、吹出口５から室内に吹出される。イオン発生装置３０は放電電極を有し、コロナ放電によって印加電圧が正電圧の場合は主としてＨ+(Ｈ2Ｏ)nから成るプラスイオンを生成し、負電圧の場合は主としてＯ2-(Ｈ2Ｏ)mから成るマイナスイオンを生成する（ｎ，ｍは整数）。
【００４１】
Ｈ+(Ｈ2Ｏ)n及びＯ2-(Ｈ2Ｏ)mは微生物の表面で凝集し、空気中の微生物等の浮遊菌を取り囲む。そして、式（１）〜（３）に示すように、衝突により活性種である［・ＯＨ］（水酸基ラジカル）やＨ2Ｏ2（過酸化水素）を浮遊菌の表面上で生成し、浮遊菌を破壊して殺菌を行う。
【００４２】
Ｈ+(Ｈ2Ｏ)n＋Ｏ2-(Ｈ2Ｏ)m→・ＯＨ＋1/2Ｏ2＋(n+m)Ｈ2Ｏ  ・・・（１）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'
→ 2・ＯＨ＋Ｏ2＋(n+n'+m+m')Ｈ2Ｏ ・・・（２）
Ｈ+(Ｈ2Ｏ)n＋Ｈ+(Ｈ2Ｏ)n'＋Ｏ2-(Ｈ2Ｏ)m＋Ｏ2-(Ｈ2Ｏ)m'
→ Ｈ2Ｏ2＋Ｏ2＋(n+n'+m+m')Ｈ2Ｏ ・・・（３）
【００４３】
イオン発生装置３０は使用目的に応じて、プラスイオンに比べてマイナスイオンを多く発生させるモード、マイナスイオンに比べてプラスイオンを多く発生させるモード、及びプラスイオンとマイナスイオンの両方を略同量の割合で発生させるモードの切替えができるようになっている。
【００４４】
図２は空気調和機の冷凍サイクルを示す回路図である。空気調和機の室内機１に接続される室外機（不図示）には、圧縮機６２、四方切替弁６３、室外熱交換器６４、送風ファン６５及び絞り機構６６が設けられる。圧縮機６２の一端は冷媒配管６７により四方切替弁６３を介して室外熱交換器６４に接続されている。圧縮機６２の他端は冷媒配管６７により四方切替弁６３を介して室内熱交換器９に接続されている。室外熱交換器６４と室内熱交換器９とは冷媒配管６７により絞り機構６６を介して接続されている。
【００４５】
冷房運転を開始すると圧縮機６２が駆動されるとともに送風ファン７が回転する。これにより、冷媒が圧縮機６２、四方切替弁６３、室外熱交換器６４、絞り機構６６、室内熱交換器９及び四方切替弁６３を経て圧縮機６２に戻る冷凍サイクル６８が形成される。
【００４６】
冷凍サイクル６８の運転によって、冷房時には室内熱交換器９が周囲温度よりも低温に冷却される。また、暖房運転時には四方切替弁６３が切り替えられて送風ファン６５が回転し、上記と逆方向に冷媒が流通する。即ち、圧縮機６２、四方切替弁６３、室内熱交換器９、絞り機構６６、室外熱交換器６４及び四方切替弁６３を経て圧縮機６２に戻る冷凍サイクル６８が形成されている。これにより、室内熱交換器９が周囲温度よりも高温に加熱される。
【００４７】
図３は空気調和機の構成を示すブロック図である。制御部６０はマイクロコンピュータから成り、使用者による操作や吸込空気の温度を検知する温度センサ６１の入力に基づいて、送風ファン７、圧縮機６２、送風ファン６５、縦ルーバ１２、風向可変部１１３ａ、１１３ｂ、１１３ｃ、イオン発生装置３０の駆動制御を行う。
【００４８】
図４は、制御部６０の詳細構成を示すブロック図である。制御部６０は各種演算処理を行うＣＰＵ７１を有し、ＣＰＵ７１には入力信号を受け取る入力回路７２及びＣＰＵ７１の演算結果を出力する出力回路７３が接続されている。また、ＣＰＵ７１の演算プログラムの格納及び演算結果の一時記憶を行うメモリ７４が設けられている。
【００４９】
入力回路７２には温度センサ６１の出力が入力される。出力回路７３には、風向可変部１１３ａ、１１３ｂ、１１３ｃの回転軸１１３ｄ、１１３ｅ、１１３ｆ（図１参照）を駆動する駆動モータ（不図示）が接続されている。
【００５０】
また、リモートコントローラ（不図示）の操作信号を受信する受光部（不図示）の出力が制御部６０に入力され、リモートコントローラによる所定の操作によって温度センサ６１の検知結果に拘わらず風向可変部１１３ａ、１１３ｂ、１１３ｃを駆動可能になっている。即ち、温度センサ６１に基づく制御部６０の制御を禁止して任意の向きに風向可変部１１３ａ、１１３ｂ、１１３ｃを配置することができる。
【００５１】
上記構成の空気調和機において、暖房運転を開始すると、冷凍サイクルが運転されるとともに、室外機（不図示）の送風ファン６５が回転駆動される。これにより、室外機（不図示）には外気が吸い込まれる。室外熱交換器６４により吸熱した冷媒は室内熱交換器９へ流れて室内熱交換器９を加熱する。
【００５２】
暖房運転を開始して一定時間が経過した場合または室内熱交換器９が所定温度まで加熱された場合に制御部６０によって室内機１の送風ファン７が回転駆動され、第１の気流制御が行われる。これにより、室内機１内には吸込口４から空気が吸い込まれ、エアフィルタ８によって空気中に含まれる塵埃が除去される。室内機１内に取り込まれた空気は室内熱交換器９と熱交換して加熱され、縦ルーバ１２及び風向可変部１１３ａ、１１３ｂ、１１３ｃによって左右方向及び上下方向の向きを規制して室内に送出される。
【００５３】
第１の気流制御は図５または図６の状態に風向可変部１１３ａ、１１３ｂ、１１３ｃを配置して例えば風速約３〜４ｍ／ｓｅｃで前方上方または略水平方向に調和空気を送出する。即ち、図５に示すように、風向可変部１１３ａは前方案内部６ａを流通する気流に沿って平面側が後方上方に面して配置される。風向可変部１１３ｂは前方案内部６ａを流通する気流に略平行かつ気流を二分して下に凸に配される。風向可変部１１３ｃは吹出口５から送出される気流から退避してキャビネット２の下方に配される。
【００５４】
これにより、前方案内部６ａを流通する調和空気は湾曲して吹出口５から矢印Ｅに示すように前方上方に送出される。また、図６に示すように風向可変部１１３ａの向きを水平にすると、矢印Ｄに示すように調和空気を吹出口５から略水平方向に送出される。
【００５５】
吹出口５から前方上方または略水平方向に送出された調和空気は居室の天井に到達する。その後、コアンダ効果により天井面から室内機１に対向する壁面Ｗ２、床面Ｆ、室内機１側の壁面Ｗ１を順次伝って流通する。従って、第１の気流制御によって暖房運転の運転立ち上がり時に充分昇温されていない調和空気が使用者に直接当たらず、使用者が寒さを感じることを防止することができる。
【００５６】
暖房運転を開始して更に一定時間が経過した場合または室内熱交換器９が充分に加熱された場合には制御部６０によって第２の気流制御が行われる。第２の気流制御は前述の図１に示すように風向可変部１１３ａ、１１３ｂ、１１３ｃが配置され、吹出口５から後方下方に例えば風速約６〜７ｍ／ｓｅｃで調和空気が送出される。
【００５７】
即ち、風向可変部１１３ａは駆動モータの駆動によって平面側を前面に向け、送風経路６の上壁に一端部が接触して送風経路６の上壁を延長する位置に配される。風向可変部１１３ａの他端部は回動軸１１３ｅに接するように下方に向けて配される。風向可変部１１３ｂは送風経路６側が凹になるように先端が後方下方に向けて配される。風向可変部１１３ｃは送風経路６側が凸になるように先端が後方下方に向けられて配される。
【００５８】
これにより、前方案内部６ａを流通する気流の進行方向前方が風向可変部１１３ａ、１１３ｂにより閉塞され、気流が湾曲して後方下方に導かれる。図７はこの時の送風経路６の静圧分布を示している。風向可変部１１３ａ、１１３ｂの内面側には風向可変部１１３ａ、１１３ｂに接して前方案内部６ａの静圧よりも高圧の高静圧部９０が形成される。
【００５９】
送風経路６の静圧を検知する静圧検知センサ（不図示）の検知結果によって風向可変部１１３ａ、１１３ｂ、１１３ｃは位置調整され、高静圧部９０の等圧線９０ａが風向可変部１１３ａ、１１３ｂに面して流通する気流に沿って形成されている。即ち、高静圧部９０の等圧線９０ａは前方案内部６ａの終端と風向可変部１１３ｂの終端とを結ぶ線に略平行に形成され、高静圧部９０近傍で気流が等圧線９０ａに略平行になっている。
【００６０】
このため、高圧部９０が流体力学的な壁面として作用し、風向可変部１１３ａ、１１３ｂ、１１３ｃによって調和空気の送出方向を滑らかに可変して気流を湾曲させる。そして、風向可変部１１３ａ、１１３ｂに接する高静圧部９０の等圧線９０ａが送風経路６を湾曲して流通する気流の主流の流線と交わらないため、該気流にかかる圧力損失を大幅に低減することができる。
【００６１】
その結果、大きな風向の変更にもかかわらず大風量の調和空気を後方下方に送出することができる。尚、高静圧部９０では主流から分かれた低速かつ低エネルギーの気流が風向可変部１１３ａ、１１３ｂに沿って流通しているため、圧力損失に対する影響が少なくなっている。
【００６２】
尚、静圧検知センサを用いて風向可変部１１３ａ、１１３ｂ近傍の静圧が所定値になるように風向可変部１１３ａ、１１３ｂ、１１３ｃを可変し、風向可変部１１３ａ、１１３ｂ、１１３ｃの位置をデータベースとして記憶してもよい。これにより、運転条件に応じたデータをデータベースから取りだして風向可変部１１３ａ、１１３ｂ、１１３ｃを所定位置に配置でき、静圧検知センサを省くことができる。
【００６３】
また、風向可変部１１３ａ、１１３ｂ、１１３ｃに面して流通する調和空気の主流は高静圧部９０と送風経路６の下壁面とに囲まれた空間を流通する。即ち、高静圧部９０により流路の壁面が形成される。従って、気流が風向可変部１１３ａ、１１３ｂと接していないので粘性による損失が低減され、更に風量を増加することができる。
【００６４】
また、高静圧部９０は流路の壁面を成し、高静圧部９０により調和空気の流路を絞ってノズル形状を成して流路面積を前方案内部６ａよりも狭くなる。このため、ノズルの作用により高エネルギーの流体が吹出口５から送出される。その結果、高静圧部９０に隣接する気流の風速が大きく変化せず、気流の静圧変動を抑制して気流がよりスムーズに流れて圧力損失をより低減できる。従って、空気調和機から送出する調和空気の風量をより増加させることができる。
【００６５】
また、高静圧部９０により絞られて一端狭くなった流路面積が風向可変部１１３ａ、１１３ｂ、１１３ｃの下流側で再度拡大されている。これにより、流路は下流に行くに従い一旦断面積が減少して最小断面積部（以下「のど部」という）が形成される。このため、拡大された流路によって所謂ディフューザが構成され、送風ファン７の静圧上昇を補助して更に風量を増加することができる。また、図６に示すように、流路ののど部には高静圧部９０が発生せず圧力損失が生じないため、その位置で流路を湾曲することにより、圧力損失が生じない湾曲部を形成することができる。
【００６６】
尚、前方案内部６ａの上壁と風向可変部１１３ａとの接触部分が滑らかな曲面により形成されないため高静圧部９０には渦２５が発生して送風効率がやや低下する。しかしながら、従来よりも圧力損失の増加を抑制して送風効率を向上することができる。
【００６７】
更に、風向可変部１１３ｂは前方案内部６ａの下壁を吹出口５のさらに外側に延長した仮想面９８と交差するように配置されている。これにより、風向可変部１１３ａの下端部が仮想面９８よりも下方に配され、気流が後方下方に確実に導かれる。従って、意図しない方向に気流が送出されず、信頼性の高い空気調和機を得ることができる。
【００６８】
図８は後方下方吹出し時の居室Ｒ内の気流の挙動を示している。調和空気は側壁Ｗ１に沿って下降して矢印Ｃに示すように床面Ｆ、側壁Ｗ１に対向する側壁Ｗ２、天井壁Ｓを順次伝って吸込口４に戻る。これにより、送出された暖気の巻き上がりを防止してショートサーキットによる暖房効率の低下を防止できるとともに、居室Ｒの下部を充分暖めて快適性を向上させることができる。従って、居室Ｒ内は室温が速やかに上昇して立ち上がる立ち上がり状態となる。
【００６９】
尚、第１の気流制御では室内機１から送出される空気が直接当たると使用者が寒さを感じる程度に低い温度になっている。このため、第１の気流制御を行う際も室温が上昇するが、上昇速度が遅くなっている。立ち上がり状態では室内機１から送出される空気が直接当たっても使用者が寒さを感じない温度に到達し、室温が設定温度よりも低い状態から速やかに上昇する。
【００７０】
図９は、第２の気流制御時の室内の温度分布を示している。室内温度の設定温度は２８℃であり、居室Ｒの大きさは６畳（高さ２４００ｍｍ、横３６００ｍｍ、奥行き２４００ｍｍ）である。前述の図３０、図３１と同様に、計測ポイントは一点鎖線Ｄで示した居室Ｒの中央断面を６００ｍｍ間隔で高さ方向と横方向にそれぞれ６点、８点の合計４８点計測している。
【００７１】
同図に示すように、温度の高い調和空気が床面Ｆを伝って足元に到達するため、居室Ｒの床面中央部の温度は３３℃〜３５℃になっている。前述の図３０、図３１に示す従来例では同じ位置で３１℃〜３２℃（図３０）及び２３℃（図３１）程度であるため、足下の温度をより高くして使用者の不快感を低減して快適性を大幅に向上させることができる。
【００７２】
また、室内機１から送出された調和空気はコアンダ効果によって巻き上がらないためショートサーキットが生じない。このため、室内機１の周囲が過剰に暖められる暖気溜りＥ（図３０参照）も生じず、吸込口４近傍の温度は設定温度である２８℃と同じ程度になっている。従って、空気調和効率が向上されるとともに、室内が充分温まっているかどうかの判断を容易にすることができる。
【００７３】
次に、第２の気流制御を行って更に一定時間が経過した場合、または吸込口４より取込んだ空気の温度と設定温度との温度差が小さくなったことを温度センサ６１により検知した場合には、制御部６０によって第３の気流制御が行われる。第３の気流制御は圧縮機６２の運転周波数を下げるとともに図１０に示すように風向可変部１１３ａ、１１３ｂ、１１３ｃが配置され、例えば風速約６〜７ｍ／ｓｅｃ）で矢印Ｃ´に示すように後方下方に調和空気が送出される。
【００７４】
即ち、風向可変部１１３ｃを図１０のＫ方向に回動して吹出口５の面積を絞るとともに送風ファン７の回転数を調節して風速を維持する。これにより、第２の気流制御に対して同じ風速で徐々に送風量が約７０％に低下する。この時、送風量が低下しても、室内機１から後方下方に送出された調和空気（暖気）はコアンダ効果によって巻き上がらずに側壁Ｗ１に沿って下降し続け、居住空間に直接降り注がずに床面Ｆを伝って足元に到達する。      
【００７５】
従って、使用者に直接風が当たることによる不快感もなく快適性が向上する。更に、送風量が低下しても風速が維持されるため、側壁Ｗ２と床面Ｆとの境界領域等の居室Ｒの隅々に暖気が確実に到達する。これにより、居室Ｒ内は室温が設定温度に対して所定温度以内で安定した安定状態になる。
【００７６】
尚、第３の気流制御において風量を低下するとともに風速を低下させた場合には、側壁Ｗ２と床面Ｆとの境界領域等の居室Ｒの隅々まで暖気が到達しない恐れがあるので、風速を維持する方がより望ましい。
【００７７】
第３の気流制御中に居室Ｒの窓の開放、室外機の除霜のために暖房運転の一時中断、その他の理由で居室Ｒの室温が設定温度よりも低下した場合は、空気調和機は立ち上がり状態に移行して第２の気流制御を行う。そして、一定時間が経過した場合や室温と設定温度との温度差が小さくなったことを検知した場合に第３の気流制御を行う。これを繰り返して暖房運転が行われる。
【００７８】
尚、使用者によって暖房運転の開始直後や居室Ｒの室内温度が所望の温度に達していない時に暖気を直接浴びたい場合がある。また、居室Ｒの室内温度が所望の温度に達した後に、暖気を直接浴びると不快感を感じるため暖気を直接浴びることなく室内温度を所望の温度に保ちたいと要望する場合もある。
【００７９】
このような場合に、前述の図２８の従来例に示すように調和空気を前方下方に送出した後、図１、図１０に示すように後方下方に送出するとよい。即ち、立ち上がり状態では図２８に示すように前方下方に調和空気を送出する。これにより、暖気を使用者に直接浴びせることができる。そして、安定状態では、調和空気を後方下方に送出する。これにより、ユーザは暖気を直接浴びることなく、部屋の温度を所望の温度に保つことができる。従って、使用者の利便性を大幅に向上させることができる。
【００８０】
また、使用者によるリモートコントローラ（不図示）の操作によって、縦ルーバ１２および風向可変部１１３ａ、１１３ｂ、１１３ｃの配置を可変できるようになっている。これにより、調和空気の風向を使用者により任意に選択することができる。
【００８１】
第２の気流制御において前述の図１の状態に替えて図１１に示すように、風向可変部１１３ａの平面側を送風経路６に面して配置してもよい。これにより、前面パネル３に沿って風向可変部１１３ａ、１１３ｂが配され、室内機１の美観が向上する。この時、高静圧部９０は前方上方に傾斜した送風経路６の上壁と風向可変部１１３ａ、１１３ｂにより囲まれて形成されるため高静圧部９０内に発達する渦２５が大きくなる。
【００８２】
このため、図１の場合に比して送風効率がやや若干低下するが従来よりも圧力損失の増加を抑制することができる。同様に、第３の気流制御において前述の図１０の状態に替えて風向可変部１１３ａを前面パネル３に沿って配置してもよい。
【００８３】
また、第２、第３の気流制御において、室内機１が設置される居室Ｒが広い場合には制御部６０によって異なる制御が行われる。制御の切り替えは室内機１またはリモートコントローラに設けた切替スイッチ等によって行うことができる。
【００８４】
居室Ｒが広く、室内機１が取り付けられる側壁Ｗ１と側壁Ｗ１に対向する側壁Ｗ２との距離が比較的大きいと、吹出口５から後方下方に調和空気を送出すると側壁Ｗ２と床面Ｆとの境界領域等の居室Ｒの隅々に暖気が到達しない場合がある。このため、立ち上がり状態の第２の気流制御において風向可変部１１３ａ、１１３ｂ、１１３ｃが図１２に示すように配置される。
【００８５】
即ち、風向可変部１１３ｂ、１１３ｃが前述の図１の状態よりも前方に配置される。そして、矢印Ｂに示すように吹出口５から調和空気が略真下方向に例えば風速約７〜８ｍ／ｓｅｃで送出される。
【００８６】
安定状態では第３の気流制御において風向可変部１１３ａ、１１３ｂ、１１３ｃが図１３に示すように配置される。即ち、風向可変部１１３ｃを図１２の状態からＫ方向に回動して吹出口５の面積が絞られる。これに伴って送風ファン７の回転数を調節する。これにより、例えば風量は第２の気流制御に対して約７０％となり、風速約７〜８ｍ／ｓｅｃで吹出口５から矢印Ｂ´に示すように略真下方向に調和空気が送出される。これにより、居室Ｒが広くても居室Ｒの隅々に暖気を到達させることができる。
【００８７】
また、第２、第３の気流制御においてそれぞれ図１４、図１５に示すように風向可変部１１３ａ、１１３ｂ、１１３ｃを配置してもよい。即ち、立ち上がり状態の第２の気流制御では図１４において、風向可変部１１３ａ、１１３ｂ、１１３ｃの下端を図１２に対して前方に配置する。そして、吹出口５から例えば風速約６〜７ｍ／ｓｅｃで矢印Ａ２に示すように調和空気を真下よりもやや前方の前方下方に送出する。
【００８８】
安定状態の第３の気流制御では図１５において図１４の状態から風向可変部１１３ａがＪ方向に回動し、風向可変部１１３ｃがＫ方向に回動して吹出口５の面積が絞られる。これに伴って送風ファン７の回転数を調節する。これにより、例えば風量は第２の気流制御に対して約７０％となり、風速約７〜８ｍ／ｓｅｃで吹出口５から矢印Ａ２´に示すように前方下方に調和空気が送出される。これにより、居室Ｒが広くても居室Ｒの隅々に暖気を到達させることができる。
【００８９】
更に、第２、第３の気流制御においてそれぞれ前述の図１、図１０に示すように風向可変部１１３ａ、１１３ｂ、１１３ｃを配置して風速を大きくしてもよい。即ち、立ち上がり状態では図１に示すように風向可変部１１３ａ、１１３ｂ、１１３ｃを設定し、吹出口５から矢印Ｃに示すように後方下方に例えば風速約９〜１０ｍ／ｓｅｃで調和空気を送出する。
【００９０】
安定状態では図１０に示すように風向可変部１１３ａ、１１３ｂ、１１３ｃを設定し、吹出口５から矢印Ｃに示すように後方下方に例えば風速約９〜１０ｍ／ｓｅｃで調和空気を送出する。これにより、居室Ｒが広くても居室Ｒの隅々に暖気を到達させることができる。従って、居室Ｒが広い場合には風向を前方に設定するか風速を大きくすることにより居室が狭い場合と同様の効果を得ることができる。
【００９１】
＜第２実施形態＞
次に、図１６は第２実施形態の空気調和機の室内機１を示す側面断面図である。前述の図１〜図１５に示す第１実施形態と同様の部分には同一の符号を付している。本実施形態は第１実施形態の風向可変部１１３ａ、１１３ｂ、１１３ｃに替えて風向可変部１１４ａ、１１４ｂが設けられる。その他の部分は第１実施形態と同様である。
【００９２】
風向可変部１１４ａ、１１４ｂは吹出口５に配され、両面が平面の平板から成っている。回動軸１１４ｃ、１１４ｄは風向可変部１１４ａ、１１４ｂを回動可能に支持し、駆動モータ（不図示）によって回転する。これにより、風向可変部１１４ａ、１１４ｂは駆動モータの駆動によって向きを替えて風向を可変する風向板から成っている。また、回動軸１１４ｃは風向可変部１１４ａの略中央に設けられ、回動軸１１４ｄは風向可変部１１４ｂの端部に設けられる。尚、同図は調和空気を後方下方に送出する場合の配置を示している。
【００９３】
上記構成の空気調和機において、暖房運転を開始すると、冷凍サイクルが運転されるとともに、室外機（不図示）の送風ファン６５が回転駆動される。これにより、室外機（不図示）には外気が吸い込まれる。室外熱交換器６４により吸熱した冷媒は室内熱交換器９へ流れて室内熱交換器９を加熱する。
【００９４】
暖房運転を開始して一定時間が経過した場合、または室内熱交換器９が所定温度まで加熱された場合に制御部６０によって室内機１の送風ファン７が回転駆動され、第１の気流制御が行われる。これにより、室内機１内には吸込口４から空気が吸い込まれ、エアフィルタ８によって空気中に含まれる塵埃が除去される。室内機１内に取り込まれた空気は室内熱交換器９と熱交換して加熱され、縦ルーバ１２及び風向可変部１１４ａ、１１４ｂによって左右方向及び上下方向の向きを規制して室内に送出される。
【００９５】
第１の気流制御は図１７または図１８の状態に風向可変部１１４ａ、１１４ｂを配置して風速約３〜４ｍ／ｓｅｃで前方上方または略水平方向に調和空気を送出する。即ち、図１７に示すように風向可変部１１４ａは前端が後端よりも上方に配され、吹出口５近傍で上方に傾斜した送風経路６の上壁に略平行になっている。風向可変部１１４ｂは軸側の端部が開放側の端部よりも前方下方になるように配される。
【００９６】
これにより、前方案内部６ａを流通する調和空気は湾曲して吹出口５から矢印Ｅに示すように前方上方に送出される。また、図１８に示すように風向可変部１１４ａの向きを水平にすると、矢印Ｄに示すように調和空気を吹出口５から略水平方向に送出される。
【００９７】
吹出口５から前方上方または略水平方向に送出された調和空気は居室の天井に到達する。その後、コアンダ効果により天井面から室内機１に対向する壁面Ｗ２、床面Ｆ、室内機１側の壁面Ｗ１を順次伝って流通する。従って、第１の気流制御によって暖房運転の運転立ち上がり時に充分昇温されていない調和空気が使用者に直接当たらず、使用者が寒さを感じることを防止することができる。
【００９８】
暖房運転を開始して更に一定時間が経過した場合や室内熱交換器９が充分に加熱された場合には制御部６０によって第２の気流制御が行われる。第２の気流制御は前述の図１６に示すように風向可変部１１４ａ、１１４ｂが配置され、吹出口５から後方下方に例えば風速約６〜７ｍ／ｓｅｃで調和空気が送出される。
【００９９】
即ち、風向可変部１１４ａは駆動モータの駆動によって一端が送風経路６の上壁に近接して上壁を下方へ延長するように配される。風向可変部１１４ａの他端部は回動軸１１４ｄに近接して下方に向けて配される。風向可変部１１４ｂは先端が後方下方に向けて配される。
【０１００】
これにより、前方案内部６ａを流通する気流の進行方向前方が風向可変部１１４ａ、１１４ｂにより閉塞され、風向可変部１１４ａ、１１４ｂに接した高静圧部９０が形成される。高静圧部９０の等圧線９０ａ（図７参照）は第１実施形態と同様に風向可変部１１４ａ、１１４ｂに面した調和空気の流通方向に沿って形成される。このため、高静圧部９０が流体力学的な壁面となり、調和空気が送出方向を滑らかに可変して吹出口５から後方下方に送出される。
【０１０１】
従って、第１実施形態と同様に、立ち上がり状態で足下の温度をより高くして使用者の不快感を低減して快適性を大幅に向上させることができる。また、空気調和効率が向上されるとともに、室内が充分温まっているかどうかの判断を容易にすることができる。
【０１０２】
また、高静圧部９０によって流路が絞られ、下流側で再度流路が拡大されている。更に、風向可変部１１４ｂは前方案内部６ａの下壁を吹出口５から外側に延長した仮想面９８と交差するように配置される。従って、第１実施形態と同様の効果を得ることができる。
【０１０３】
次に、暖房運転を開始して更に一定時間が経過した場合、または吸込口４より取込んだ空気の温度と設定温度との温度差が小さくなったことを温度センサ６１により検知した場合には、制御部６０によって第３の気流制御が行われる。第３の気流制御は図１９に示すように風向可変部１１４ａ、１１４ｂが配置され、送付ファン７の送風量を下げて風速約５〜６ｍ／ｓｅｃで矢印Ｂに示すように略真下方向に調和空気が送出される。
【０１０４】
即ち、風向可変部１１４ｂは先端を図１６の場合よりも前方に配して略真下方向に向けられ、送風量及び風速が下げられる。これにより、安定状態で使用者に直接風が当たることによる不快感もなく快適性が向上する。また送風量が低下しても、室内機１から立ち上がり状態よりも調和空気がやや前方（略真下方向）に送出されるため、室内機１から離れた位置まで暖気が到達する。尚、第１実施形態では安定状態で第３の気流制御において気流路を絞って風速を維持して送風量を下げることができるため暖気の到達距離が大きくなるのでより望ましい。
【０１０５】
第３の気流制御中に居室Ｒの窓の開放、室外機の除霜のために暖房運転の一時中断、その他の理由で居室Ｒの室温が設定温度よりも低下した場合は、空気調和機は室温立ち上げ状態に移行して第２の気流制御を行う。そして、一定時間が経過場合や室温と設定温度との温度差が小さくなったことを検知した場合に第３の気流制御を行う。これを繰り返して暖房運転が行われる。
【０１０６】
また、使用者によるリモートコントローラ（不図示）の操作によって、縦ルーバ１２および風向可変部１１４ａ、１１４ｂの配置を可変できるようになっている。これにより、調和空気の風向を使用者により任意に選択することができる。
【０１０７】
第２の気流制御において前述の図１６の状態に替えて図２０に示すように、風向可変部１１４ａを前面パネル３に沿って配置してもよい。これにより、室内機１の美観が向上する。この時、高静圧部９０は前方上方に傾斜した送風経路６の上壁と風向可変部１１３ａ、１１３ｂにより囲まれて形成されるため高静圧部９０内に発達する渦２５が大きくなる。
【０１０８】
このため、図１６の場合に比して送風効率がやや若干低下するが従来よりも圧力損失の増加を抑制することができる。同様に、第３の気流制御において前述の図１９の状態に替えて風向可変部１１４ａを前面パネル３に沿って配置してもよい。
【０１０９】
また、第２、第３の気流制御において、室内機１が設置される居室Ｒが広い場合には制御部６０によって異なる制御が行われる。制御の切り替えは室内機１またはリモートコントローラに設けた切替スイッチ等によって行うことができる。
【０１１０】
居室Ｒが広く、室内機１が取り付けられる側壁Ｗ１と側壁Ｗ１に対向する側壁Ｗ２との距離が比較的大きいと、吹出口５から後方下方に調和空気を送出すると側壁Ｗ２と床面Ｆとの境界領域等の居室Ｒの隅々に暖気が到達しない場合がある。このため、立ち上がり状態の第２の気流制御において風向可変部１１４ａ、１１４ｂが前述の図１９に示すように配置される。
【０１１１】
即ち、風向可変部１１４ｂが前述の図１６の状態よりも前方に配置される。そして、吹出口５から例えば風速約７〜８ｍ／ｓｅｃで矢印Ｂに示すように調和空気を略真下方向に送出する。
【０１１２】
安定状態では第３の気流制御において風向可変部１１４ａ、１１４ｂが図２１に示すように配置される。即ち、風向可変部１１４ｂが前述の図１９の状態よりも前方に配置される。そして、吹出口５から例えば風速約６〜７ｍ／ｓｅｃで矢印Ｂに示すように調和空気を真下よりもやや前方の前方下方に送出する。これにより、居室Ｒが広くても居室Ｒの隅々に暖気を到達させることができる。
【０１１３】
＜第３実施形態＞
次に、図２２は第３実施形態の空気調和機の室内機１を示す側面断面図である。前述の図１６から図２１に示す第２実施形態と同様の部分には同一の符号を付している。本実施形態は第１実施形態の風向可変部１１４ａ、１１４ｂに替えて風向可変部１１５ａ、１１５ｂが設けられる。
【０１１４】
また、室内機１内の送風ファン７の回転数を検出して、吹出口５から送出される調和空気の風量を検出する回転数検出部（不図示）が設けられている。前述の図４において、回転数検出部の出力が制御部６０に入力され、回転数検出部の検出結果に基づいて風向可変部１１５ａ、１１５ｂが駆動されている。その他の部分は第２実施形態と同様である。
【０１１５】
風向可変部１１５ａ、１１５ｂは吹出口５に配され、両面が平面の平板から成っている。回動軸１１５ｃ、１１５ｄは風向可変部１１５ａ、１１５ｂを回動可能に支持し、駆動モータ（不図示）によって回転する。これにより、風向可変部１１５ａ、１１５ｂは駆動モータの駆動によって向きを替えて風向を可変する風向板から成っている。また、回動軸１１５ｃは風向可変部１１５ａの略中央に設けられ、回動軸１１５ｄは風向可変部１１５ｂの略中央の風向可変部１１５ｂから所定量離れた位置に設けられる。尚、同図は調和空気を後方下方に送出する場合の配置を示している。
【０１１６】
上記構成の空気調和機において、暖房運転を開始すると、冷凍サイクルが運転されるとともに、室外機（不図示）の送風ファン６５が回転駆動される。これにより、室外機（不図示）には外気が吸い込まれる。室外熱交換器６４により吸熱した冷媒は室内熱交換器９へ流れて室内熱交換器９を加熱する。
【０１１７】
暖房運転を開始して一定時間が経過した場合、または室内熱交換器９が所定温度まで加熱された場合に制御部６０によって室内機１の送風ファン７が回転駆動され、第１の気流制御が行われる。これにより、室内機１内には吸込口４から空気が吸い込まれ、エアフィルタ８によって空気中に含まれる塵埃が除去される。室内機１内に取り込まれた空気は室内熱交換器９と熱交換して加熱され、縦ルーバ１２及び風向可変部１１５ａ、１１５ｂによって左右方向及び上下方向の向きを規制して室内に送出される。
【０１１８】
第１の気流制御は送風ファン７の回転数を例えば６００ｒｐｍにして回転数検出部の検出によって図２３または図２４の状態に風向可変部１１５ａ、１１５ｂが配置される。そして、風速約３〜４ｍ／ｓｅｃで前方上方または略水平方向に調和空気を送出する。即ち、図２３に示すように風向可変部１１５ａは前端が後端よりも上方に配され、吹出口５近傍で上方に傾斜した送風経路６の上壁に略平行になっている。風向可変部１１５ｂは外側の端部が内側の端部よりも前方下方になるように配される。
【０１１９】
これにより、前方案内部６ａを流通する調和空気は湾曲して吹出口５から矢印Ｅに示すように前方上方に送出される。また、図２４に示すように風向可変部１１５ａの向きを水平にすると、矢印Ｄに示すように調和空気を吹出口５から略水平方向に送出される。
【０１２０】
吹出口５から前方上方または略水平方向に送出された調和空気は居室の天井に到達する。その後、コアンダ効果により天井面から室内機１に対向する壁面Ｗ２、床面Ｆ、室内機１側の壁面Ｗ１を順次伝って流通する。従って、第１の気流制御によって暖房運転の運転立ち上がり時に充分昇温されていない調和空気が使用者に直接当たらず、使用者が寒さを感じることを防止することができる。
【０１２１】
暖房運転を開始して更に一定時間が経過した場合や室内熱交換器９が充分に加熱された場合には制御部６０によって第２の気流制御が行われる。第２の気流制御は送風ファン７の回転数を例えば１２００ｒｐｍにすると回転数検出部の検出によって前述の図２２の状態に風向可変部１１５ａ、１１５ｂが配置される。そして、風速約６〜７ｍ／ｓｅｃで後方下方に調和空気を送出する。
【０１２２】
即ち、風向可変部１１５ａは駆動モータの駆動によって一端が送風経路６の上壁に当接して上壁を下方へ延長するように配される。風向可変部１１５ｂは先端が略真下方向または後方下方に向けて配される。
【０１２３】
これにより、前方案内部６ａを流通する気流の進行方向前方が風向可変部１１５ａ、１１５ｂにより閉塞され、風向可変部１１５ａ、１１５ｂに接した高静圧部９０が形成される。高静圧部９０の等圧線９０ａ（図７参照）は第１、第２実施形態と同様に風向可変部１１５ａ、１１５ｂに面した調和空気の流通方向に沿って形成される。このため、高静圧部９０が流体力学的な壁面となり、調和空気が送出方向を滑らかに可変して吹出口５から後方下方に送出される。
【０１２４】
従って、第１、第２実施形態と同様に、立ち上がり状態で足下の温度をより高くして使用者の不快感を低減して快適性を大幅に向上させることができる。また、空気調和効率が向上されるとともに、室内が充分温まっているかどうかの判断を容易にすることができる。
【０１２５】
また、高静圧部９０によって流路が絞られ、下流側で再度流路が拡大されている。更に、風向可変部１１５ｂは前方案内部６ａの下壁を吹出口５から外側に延長した仮想面９８と交差するように配置される。従って、第１、第２実施形態と同様の効果を得ることができる。
【０１２６】
次に、暖房運転を開始して更に一定時間が経過した場合、または吸込口４より取込んだ空気の温度と設定温度との温度差が小さくなったことを温度センサ６１により検知した場合には、制御部６０によって第３の気流制御が行われる。第３の気流制御は送風ファン７の回転数を例えば９００ｒｐｍにすると回転数検出部の検出によって図２５の状態に風向可変部１１５ａ、１１５ｂが配置される。そして、風速約５〜６ｍ／ｓｅｃで矢印Ｂに示すように略真下方向に調和空気が送出される。
【０１２７】
即ち、送風ファン７の回転数を下げることによって風向可変部１１５ｂは先端を図２２の場合よりも前方に配して先端が略真下方向またはやや前方に向けられる。これにより、安定状態で使用者に直接風が当たることによる不快感もなく快適性が向上する。また送風量が低下しても、室内機１から立ち上がり状態よりも調和空気がやや前方（略真下方向）に送出されるため、室内機１から離れた位置まで暖気が到達する。
【０１２８】
第３の気流制御中に居室Ｒの窓の開放、室外機の除霜のために暖房運転の一時中断、その他の理由で居室Ｒの室温が設定温度よりも低下した場合は、空気調和機は室温立ち上げ状態に移行して第２の気流制御を行う。そして、一定時間が経過場合や室温と設定温度との温度差が小さくなったことを検知した場合に第３の気流制御を行う。これを繰り返して暖房運転が行われる。
【０１２９】
また、使用者によるリモートコントローラ（不図示）の操作によって、縦ルーバ１２および風向可変部１１５ａ、１１５ｂの配置を可変できるようになっている。これにより、調和空気の風向を使用者により任意に選択することができる。
【０１３０】
また、第２、第３の気流制御において、室内機１が設置される居室Ｒが広い場合には制御部６０によって異なる制御が行われる。制御の切り替えは室内機１またはリモートコントローラに設けた切替スイッチ等によって行うことができる。
【０１３１】
居室Ｒが広く、室内機１が取り付けられる側壁Ｗ１と側壁Ｗ１に対向する側壁Ｗ２との距離が比較的大きいと、吹出口５から後方下方に調和空気を送出すると側壁Ｗ２と床面Ｆとの境界領域等の居室Ｒの隅々に暖気が到達しない場合がある。このため、立ち上がり状態の第２の気流制御において風向可変部１１５ａ、１１５ｂが前述の図２５に示すように配置される。
【０１３２】
即ち、送風ファン７の回転数が例えば１２００ｒｐｍになると回転数検出部の検出によって風向可変部１１５ｂが前述の図２２の状態よりも前方に配置される。そして、吹出口５から例えば風速約７〜８ｍ／ｓｅｃで矢印Ｂに示すように調和空気を略真下方向に送出する。
【０１３３】
安定状態では第３の気流制御において風向可変部１１５ａ、１１５ｂが図２６に示すように配置される。即ち、送風ファン７の回転数が例えば９００ｒｐｍになると回転数検出部の検出によって風向可変部１１５ｂが前述の図２５の状態よりも前方に配置される。そして、吹出口５から例えば風速約６〜７ｍ／ｓｅｃで矢印Ｂに示すように調和空気を真下よりもやや前方の前方下方に送出する。これにより、居室Ｒが広くても居室Ｒの隅々に暖気を到達させることができる。
【０１３４】
尚、第１、第２実施形態において同様の回転数検出部を設け、回転数検出部の検出結果に基づいて風向、風速、風量を可変してもよい。
【０１３５】
＜第４実施形態＞
次に、第４実施形態について説明する。本実施形態は第３実施形態の空気調和機に対して、回転数検出部に替えて周波数検出部（不図示）が設けられている。周波数検出部は圧縮機６２（図２参照）の運転周波数を検出する。前述の図４において、周波数検出部の出力が制御部６０に入力され、周波数検出部の検出結果に基づいて風向可変部１１５ａ、１１５ｂが駆動されている。その他の部分は第３実施形態と同様である。
【０１３６】
これにより、圧縮機６２の運転周波数に応じて風向可変部１１５ａ、１１５ｂの配置を可変することができる。立ち上がり状態の第２の気流制御では運転周波数が上げられ、運転周波数が例えば７０Ｈｚ以上になると周波数検出部の検出によって風向可変部１１５ａ、１１５ｂが例えば前述の図２２に示す状態に配置される。また、安定状態の第３の気流制御では運転周波数が下げられ、運転周波数が例えば４０Ｈｚ〜７０Ｈｚになると周波数検出部の検出によって風向可変部１１５ａ、１１５ｂが例えば前述の図２５に示す状態に配置される。
【０１３７】
暖房時には圧縮機６２の運転周波数が高いときは暖房能力が向上して室内熱交換器９の温度が高くなる。圧縮機６２の運転周波数が低いと暖房能力は低下して室内熱交換器９の温度が低くなる。従って、上記と同様に、吹出温度の高い調和空気の一部がより後方へ送出される。これにより、使用者に当たる高温の空気を減少させて使用者の不快感をより低減することができる。なお、第１、第２実施形態において周波数検出部を設けてもよい。
【０１３８】
＜第５実施形態＞
次に、第５実施形態について説明する。本実施形態は第３実施形態の空気調和機に対して、回転数検出部に替えて調和空気の吹出し温度を検出する温度センサから成る吹出温度検出部（不図示）を送風経路６内に設けている。また、前述の図４において、温度センサ６１の出力に替えて吹出温度検出部の出力が制御部６０に入力され、吹出温度検出部の検出結果に基づいて風向可変部１１５ａ、１１５ｂが駆動されている。その他の部分は第３実施形態と同様である。
【０１３９】
これにより、調和空気の吹出し温度に応じて風向可変部１１５ａ、１１５ｂの設定を可変することができる。室内熱交換器の温度が上昇しておらず、吹出し温度が３６℃未満では第１の気流制御が行われる。立ち上がり状態の第２の気流制御では圧縮機の運転周波数増加によって吹出し温度が上昇し、吹出し温度が４５℃以上になると吹出温度検出部の検出によって風向可変部１１５ａ、１１５ｂが例えば前述の図２２に示す状態に配置される。
【０１４０】
安定状態の第３の気流制御では圧縮機６２の運転周波数が下げられ、吹出し温度が３６℃から４５℃になると吹出温度検出部の検出によって風向可変部１１５ａ、１１５ｂが例えば前述の図２５に示す状態に配置される。従って、上記と同様に、吹出温度の高い調和空気の一部がより後方へ送出される。これにより、使用者に当たる高温の空気を減少させて使用者の不快感をより低減することができる。尚、第１、第２実施形態において吹出温度検出部を設けてもよい。
【０１４１】
＜第６実施形態＞
次に、第６実施形態について説明する。本実施形態は第３実施形態の空気調和機に対して、回転数検出部に替えて室内熱交換器９の温度を検出する温度センサから成る熱交換器温度検出部（不図示）が設けられている。また、前述の図４において熱交換器温度検出部の出力が制御部６０に入力され、熱交換器温度検出部の検出結果に基づいて風向可変部１１５ａ、１１５ｂが駆動されている。その他の部分は第３実施形態と同様である。
【０１４２】
これにより、室内熱交換器９の温度に応じて風向可変部１１５ａ、１１５ｂの設定を可変することができる。例えば、室内熱交換器９の温度が４０℃未満の時には第１の気流制御が行われる。立ち上がり状態の第２の気流制御では圧縮機６２の運転周波数増加によって室内熱交換器９の温度が上昇し、５０℃以上になると熱交換器温度検出部の検出によって風向可変部１１５ａ、１１５ｂが例えば前述の図２２に示す状態に配置される。
【０１４３】
安定状態の第３の気流制御では圧縮機６２の運転周波数が下げられ、室内熱交換器９の温度が４０℃から５０℃になると熱交換器温度検出部の検出によって風向可変部１１５ａ、１１５ｂが例えば前述の図２５に示す状態に配置される。従って、上記と同様に、吹出温度の高い調和空気の一部がより後方へ送出される。これにより、使用者に当たる高温の空気を減少させて使用者の不快感をより低減することができる。なお、第１、第２実施形態において熱交換器温度検出部を設けてもよい。
【０１４４】
＜第７実施形態＞
次に、第７実施形態について説明する。本実施形態は第３実施形態の空気調和機に対して、回転数検出部に替えて消費電流検出部が設けられている。消費電流検出部は電流値に比例した二次電圧を発生させるカレントトランス等により構成され、空気調和機の運転時の消費電流または消費電力を検出する。前述の図４において消費電流検出部の出力が制御部６０に入力され、消費電流検出部の検出結果に基づいて風向可変部１１５ａ、１１５ｂが駆動されている。その他の部分は第３実施形態と同様である。
【０１４５】
これにより、空気調和機の消費電流に応じて風向可変部１１５ａ、１１５ｂの設定を可変することができる。立ち上がり状態の第２の気流制御では圧縮機６２の運転周波数が増加し、空気調和機の消費電流または消費電力が例えば１２Ａまたは１２００Ｗ以上になると消費電流検出部の検出によって風向可変部１１５ａ、１１５ｂが例えば前述の図２２に示す状態に配置される。
【０１４６】
安定状態の第３の気流制御では圧縮機６２の運転周波数が下げられ、空気調和機の消費電流または消費電力が例えば７Ａ〜１２Ａまたは７００Ｗ〜１２００Ｗになると消費電流検出部の検出によって風向可変部１１５ａ、１１５ｂが例えば前述の図２５に示す状態に配置される。
【０１４７】
空気調和機の運転時の消費電流または消費電力が大きいときは圧縮機６２（図２参照）の周波数が高いと考えられ、暖房時には室内熱交換器９の温度が高くなる。空気調和機の運転時の消費電流または消費電力が小さいときは圧縮機６２の運転周波数が低いと考えられ、暖房時には室内熱交換器９の温度が低くなる。従って、上記と同様に、吹出温度の高い調和空気の一部がより後方へ送出される。これにより、使用者に当たる高温の空気を減少させて使用者の不快感をより低減することができる。尚、第１、第２実施形態において消費電流検出部を設けてもよい。
【０１４８】
＜第８実施形態＞
次に、第８実施形態について説明する。本実施形態は第３実施形態の空気調和機に対して、回転数検出部に替えて室外回転数検出部が設けられている。室外回転数検出部は、室外機に備えられる送風ファン６５（図２参照）の回転数を検出して室外機の吸込口（不図示）から吸引される空気の風量を検出する。前述の図４において室外回転数検出部の出力が制御部６０に入力され、室外回転数検出部の検出結果に基づいて風向可変部１１５ａ、１１５ｂが駆動されている。その他の部分は第３実施形態と同様である。
【０１４９】
これにより、室外送風ファン６５の回転数に応じて風向可変部１１５ａ、１１５ｂの設定を可変することができる。第２の気流制御では例えば室外送風ファン６５の回転数が１０００ｒｐｍ以上になると室外回転数検出部の検出によって風向可変部１１５ａ、１１５ｂが前述の図２２に示す状態に配置される。第３の気流制御では例えば室外送風ファン６５の回転数が５００〜１０００ｒｐｍになると消費電流検出部の検出によって風向可変部１１５ａ、１１５ｂが前述の図２５に示す状態に配置される。
【０１５０】
暖房時には圧縮機６２（図２参照）の運転周波数が高いときは室外機の送風ファン６５の風量または回転数も大きく設定され、暖房能力が向上して室内熱交換器９の温度が高くなる。圧縮機６２の運転周波数が低いときは室外機の送風ファン６５の風量または回転数も小さく設定され、暖房能力が低下して室内熱交換器９の温度が低くなる。従って、上記と同様に、吹出温度の高い調和空気の一部がより後方へ送出される。これにより、使用者に当たる高温の空気を減少させて使用者の不快感をより低減することができる。尚、第１、第２実施形態において室外回転数検出部を設けてもよい。
【０１５１】
＜第９実施形態＞
次に、第９実施形態について説明する。本実施形態は第３実施形態の空気調和機に対して、回転数検出部に替えて湿度センサが設けられている。湿度センサは室内熱交換器９とエアフィルタ８との間に設けられ、吸込空気の湿度を検知する。前述の図４において温度センサ６１の出力に替えて湿度センサの出力が制御部６０に入力され、湿度センサの検出結果に基づいて風向可変部１１５ａ、１１５ｂが駆動されている。その他の部分は第３実施形態と同様である。
【０１５２】
これにより、吸込空気の湿度に応じて風向可変部１１５ａ、１１５ｂの設定を可変することができる。例えば、吸込空気の相対湿度と設定湿度の差が２０％以上になると第２の気流制御が行われる。吸込空気の相対湿度と設定湿度の差が２０％未満の時には第３の気流制御が行われる。
【０１５３】
従って、吸込空気の相対湿度と設定湿度の差が大きいときにはより後方に調和空気を送出して部屋全体の空気を大きく攪拌し、室内の隅々まで速やかに湿度のバランスを整えることができる。一方吸込空気の相対湿度と設定湿度の差が小さいときには略真下方向に送出して不要な後方への送出を減少させて効率良く空気調和を行うことができる。尚、第１、第２実施形態において湿度センサを設けてもよい。
【０１５４】
＜第１０の実施形態＞
次に、第１０実施形態について説明する。本実施形態は第３実施形態の空気調和機に対して、回転数検出部に替えてイオンセンサ（不図示）が設けられている。イオンセンサは、室内熱交換器９とエアフィルタ８との間に設けられ、吸込空気のイオン濃度を検知する。前述の図４において、温度センサ６１の出力に替えてイオンセンサの出力が制御部６０に入力され、イオンセンサの検出結果に基づいて風向可変部１１５ａ、１１５ｂが駆動されている。その他の部分は第３実施形態と同様である。
【０１５５】
これにより、吸込空気のイオン濃度に応じて風向可変部１１５ａ、１１５ｂの設定を可変することができる。例えば吸込空気のイオン濃度と設定イオン濃度の差が２０００個／ｃｍ3以上の時には第２の気流制御が行われる。吸込空気のイオン濃度と設定イオン濃度の差が２０００個／ｃｍ3未満の時には第３の気流制御が行われる。
【０１５６】
従って、吸込空気の吸込空気のイオン濃度と設定イオン濃度の差が大きいときにはイオンを大量に含んだ調和空気をより後方に調和空気を送出して部屋全体の空気を大きく攪拌し、室内の隅々まで速やかにイオンのバランスを整えることができる。一方吸込空気の吸込空気のイオン濃度と設定イオン濃度の差が小さいときには真下方向に送出して不要な後方への送出を減少させて効率良く空気調和を行うことができる。なお、第１、第２実施形態においてイオンセンサを設けても良い。
【０１５７】
＜第１１実施形態＞
次に、第１１実施形態について説明する。本実施形態は第３実施形態の空気調和機に対して、回転数検出部に替えてほこりセンサ（浄化度検知手段）が設けられている。ほこりセンサは室内熱交換器９とエアフィルタ８との間に設けられ、吸込空気の塵埃量を検知して室内の空気の浄化度を検知する。前述の図４において、温度センサ６１の出力に替えてほこりセンサの出力が制御部６０に入力され、ほこりセンサの検出結果に基づいて風向可変部１１５ａ、１１５ｂが駆動されている。その他の部分は第３実施形態と同様である。
【０１５８】
これにより、吸込空気中に含まれる塵埃量に応じて風向可変部１１５ａ、１１５ｂの設定を可変することができる。例えば吸込空気の塵埃量が所定量よりも多い場合には第２の気流制御が行われる。吸込空気の塵埃量が所定量よりも少ない場合には第３の気流制御が行われる。
【０１５９】
従って、吸込空気中に含まれる塵埃量が多い場合にはより後方に調和空気を送出して部屋全体の空気を大きく攪拌し、室内の塵埃を室内機中に取り込み、エアフィルタ８により速やかに空気清浄を行うことができるため、部屋全体の空気を短時間で清浄することができる。一方吸込空気中に含まれる塵埃量が少ない場合には略真下方向に送出して不要な後方への送出を減少させて効率良く空気調和を行うことができる。尚、エアフィルタ８（図１参照）に替えてＨＥＰＡフィルタや電気集塵機を用いれば、より大きな空気清浄効果を得ることができる。尚、第１、第２実施形態においてほこりセンサを設けてもよい。
【０１６０】
＜第１２実施形態＞
次に、第１２実施形態について説明する。本実施形態は第３実施形態の空気調和機に対して、回転数検出部に替えてにおいセンサ（浄化度検知手段）が設けられている。においセンサは室内熱交換器９とエアフィルタ８との間に設けられ、吸込空気の臭気成分の含有量を検知して室内の空気の浄化度を検知する。前述の図４において、温度センサ６１の出力に替えてにおいセンサの出力が制御部６０に入力され、においセンサの検出結果に基づいて風向可変部１１５ａ、１１５ｂが駆動されている。その他の部分は第３実施形態と同様である。
【０１６１】
これにより、吸込空気中の臭気成分の含有量に応じて風向可変部１１５ａ、１１５ｂの設定を可変することができる。例えば吸込空気の臭気成分が所定量よりも多い場合には第２の気流制御が行われる。吸込空気の臭気成分が所定量よりも少ない場合には第３の気流制御が行われる。
【０１６２】
従って、吸込空気中の臭気成分の含有量が多い場合にはより後方に調和空気を送出して部屋全体の空気を大きく攪拌し、室内の塵埃を室内機中に取り込み、エアフィルタ８により速やかに空気清浄を行うことができるため、部屋全体の空気を短時間で清浄することができる。一方吸込空気中の臭気成分の含有量が少ない場合には略真下方向に送出して不要な後方への送出を減少させて効率良く空気調和を行うことができる。なお、第１、第２実施形態において、においセンサを設けてもよい。
【０１６３】
＜第１３実施形態＞
本実施形態は第１実施形態の室内機１を図２７に示すように居室Ｒの隣接する２側壁Ｗ３、Ｗ４が交差したコーナーＬの天井壁Ｓに接する位置に取り付ける、所謂コーナーエアコンのように構成される。この場合においても、上記と同様の効果を得ることができる。尚、第２〜第１２実施形態において室内機をコーナーエアコンにしてもよい。
【０１６４】
以上により、本発明に係る空気調和機を第１〜第１３実施形態により説明したが、本発明は上記実施形態に限定される訳ではなく、本発明の趣旨を逸脱しない範囲で適宜の変更を加えて実施することができる。
【図面の簡単な説明】
【０１６５】
【図１】は、本発明の第１実施形態の空気調和機の室内機の第２の気流制御時の状態を示す側面断面図である。
【図２】は、本発明の第１実施形態の空気調和機の冷凍サイクルを示す回路図である。
【図３】は、本発明の第１実施形態の空気調和機の構成を示すブロック図である。
【図４】は、本発明の第１実施形態の空気調和機の制御部の構成を示すブロック図である。
【図５】は、本発明の第１実施形態の空気調和機の室内機の第１の気流制御時の状態を示す側面断面図である。
【図６】は、本発明の第１実施形態の空気調和機の室内機の第１の気流制御時の他の状態を示す側面断面図である。
【図７】は、本発明の第１実施形態の空気調和機の室内機の後方下方吹出しの状態のときの吹出口近傍の静圧分布を示す等高線図である。
【図８】は、本発明の第１実施形態の空気調和機の室内機の後方下方吹出しの状態のときの居室内の気流の挙動を示す透視斜視図である。
【図９】は、本発明の第１実施形態の空気調和機の室内機の後方下方吹出しの状態のときの居室中央部断面の温度分布を示す図である。
【図１０】は、本発明の第１実施形態の空気調和機の室内機の第３の気流制御時の状態を示す側面断面図である。
【図１１】は、本発明の第１実施形態の空気調和機の室内機の第２の気流制御時の他の状態を示す側面断面図である。
【図１２】は、本発明の第１実施形態の空気調和機の室内機の第２の気流制御時の更に他の状態を示す側面断面図である。
【図１３】は、本発明の第１実施形態の空気調和機の室内機の第３の気流制御時の他の状態を示す側面断面図である。
【図１４】は、本発明の第１実施形態の空気調和機の室内機の第２の気流制御時の更に他の状態を示す側面断面図である。
【図１５】は、本発明の第１実施形態の空気調和機の室内機の第３の気流制御時の更に他の状態を示す側面断面図である。
【図１６】は、本発明の第２実施形態の空気調和機の室内機の第２の気流制御時の状態を示す側面断面図である。
【図１７】は、本発明の第２実施形態の空気調和機の室内機の第１の気流制御時の状態を示す側面断面図である。
【図１８】は、本発明の第２実施形態の空気調和機の室内機の第１の気流制御時の他の状態を示す側面断面図である。
【図１９】は、本発明の第２実施形態の空気調和機の室内機の第３の気流制御時の状態を示す側面断面図である。
【図２０】は、本発明の第２実施形態の空気調和機の室内機の第２の気流制御時の他の状態を示す側面断面図である。
【図２１】は、本発明の第２実施形態の空気調和機の室内機の第３の気流制御時の他の状態を示す側面断面図である。
【図２２】は、本発明の第３実施形態の空気調和機の室内機の第２の気流制御時の状態を示す側面断面図である。
【図２３】は、本発明の第３実施形態の空気調和機の室内機の第１の気流制御時の状態を示す側面断面図である。
【図２４】は、本発明の第３実施形態の空気調和機の室内機の第１の気流制御時の他の状態を示す側面断面図である。
【図２５】は、本発明の第３実施形態の空気調和機の室内機の第３の気流制御時の状態を示す側面断面図である。
【図２６】は、本発明の第３実施形態の空気調和機の室内機の第３の気流制御時の他の状態を示す側面断面図である。
【図２７】は、本発明に第１３実施形態の空気調和機の室内機の後方下方吹出しの状態のときの居室内の気流の挙動を示す透視斜視図である。
【図２８】は、従来の空気調和機による居室内の風量「強」時の気流を示す斜視図である。
【図２９】は、従来の空気調和機による居室内の風量「弱」時の気流を示す斜視図である。
【図３０】は、従来の空気調和機による居室中央部断面の風量「強」時の温度分布を示す図である。
【図３１】は、他の従来の空気調和機による居室中央部断面の風量「弱」時の温度分布を示す図である。
【符号の説明】
【０１６６】
１    室内機
２    キャビネット
３    フロントパネル
４    吸込口
５    吹出口
６    送風経路
７    送風ファン
８    エアフィルタ
９    室内熱交換器
１０    ドレンパン
１２    縦ルーバ
２５    渦
６０    制御部
６１    温度センサ
６２    圧縮機
６３    四方切替弁
６４    室外熱交換器
６５    送風ファン
６６    絞り機構
６７    冷媒配管
６８    冷凍サイクル
７１    ＣＰＵ
７２    入力回路
７３    出力回路
７４    メモリ
９０    高静圧部
９８    仮想面
１１３ａ、１１３ｂ、１１３ｃ、１１４ａ、１１４ｂ、１１５ａ、１１５ｂ  風向可変部
【図１】
0003686963.tif 000002
【図２】
0003686963.tif 000003
【図３】
0003686963.tif 000004
【図４】
0003686963.tif 000005
【図５】
0003686963.tif 000006
【図６】
0003686963.tif 000007
【図７】
0003686963.tif 000008
【図８】
0003686963.tif 000009
【図９】
0003686963.tif 000010
【図１０】
0003686963.tif 000011
【図１１】
0003686963.tif 000012
【図１２】
0003686963.tif 000013
【図１３】
0003686963.tif 000014
【図１４】
0003686963.tif 000015
【図１５】
0003686963.tif 000016
【図１６】
0003686963.tif 000017
【図１７】
0003686963.tif 000018
【図１８】
0003686963.tif 000019
【図１９】
0003686963.tif 000020
【図２０】
0003686963.tif 000021
【図２１】
0003686963.tif 000022
【図２２】
0003686963.tif 000023
【図２３】
0003686963.tif 000024
【図２４】
0003686963.tif 000025
【図２５】
0003686963.tif 000026
【図２６】
0003686963.tif 000027
【図２７】
0003686963.tif 000028
【図２８】
0003686963.tif 000029
【図２９】
0003686963.tif 000030
【図３０】
0003686963.tif 000031
【図３１】
0003686963.tif 000032